(57)【要約】  【課題】  モジュール装置を改良し、モジュールをコネクタに組み込むときに発生する静電気を効果的に吸収することを目的とする。  【解決手段】  モジュール装置１０において、バネフック１をシールドケース２５の切起し加工にてコネクタ１２の対峙するコーナ部近傍に設ける。該バネフック１はコネクタ１２の上端面から中空部水平方向に突設され、更に、該突設部１ａの直下１ｂをコネクタ１２の内側面方向へ湾曲形成させ乍らその下部１ｃをコンタクトピン２４と並列させるように構成する。【選択図】図１
2006236936.tif 000002
【特許請求の範囲】
【請求項１】
基板上にモジュール本体を取り付けたモジュールと、該モジュールを組み込むための一端が開放された中空部及び該中空部の内面に前記基板側の接触子と電気接触を図る接触子を設けたコネクタとを備え、前記中空部内に組み込まれたモジュールを前記コネクタに固定するためのモジュール用コネクタロック装置であって、
前記基板に係合部を設けると共に、前記コネクタに前記モジュールの組み込み時には外側に弾性変形して逃がされ、該モジュールが所定の位置に組み込まれると、前記係合部上に自己復帰して前記係合部と係合し前記モジュールの抜け止めを行うバネフックを設けて成るモジュール用コネクタロック装置において、
前記バネフックはコネクタ本体の上端面から該コネクタ本体に設けた中空部に向って略水平方向へ突設され、更に、該突設部からコネクタ本体内壁面方向へ湾曲させ乍らその下部をコンタクトピンと並列して該コンタクトピンの中空部に対する突出量と略同程度に形成されたことを特徴とするモジュール用コネクタロック装置。
【請求項２】
上記バネフックはシールドケースの一部を切起し加工によって該シールドケースと一体に形成されたことを特徴とする請求項１記載のモジュール用コネクタロック装置。
【発明の詳細な説明】
【技術分野】
【０００１】
本発明は、モジュール用コネクタロック装置に関するものであり、特に、カメラモジュール又はメモリモジュール等の各種モジュール用コネクタロック装置に関するものである。
【背景技術】
【０００２】
図４乃至図６に従って携帯電話等に実装されるカメラモジュールの先行技術を説明する。図４はカメラモジュール装置の分解斜視図であり、図５は該カメラモジュール装置の組み込み手順の一例を説明する図である。図６はバネフックとコンタクトピンとの位置関係を解説する図である。
【０００３】
図において、モジュール装置１０はモジュール１１と該モジュール１１を機器に取り付けるためのコネクタ１２とから成る。又、該モジュール１１は携帯電話等に実装され、概略四角形のブロック状に形成されているモジュール本体１３と、該モジュール本体１３の上部に設けられるレンズ部１３Ｌとから成る。又、該モジュール本体１３の相対抗している一対の側面１３ａ，１３ｂの左右のコーナ部近傍には該モジュール本体１３の下面から上面までを連続して切り欠いて成る切欠部１４，１４，１４，１４が設けられている。
【０００４】
更に、モジュール本体１３の底面には、基板１５が接着剤１６等によって固設されており、該基板１５の４側面に端子部となる複数の接触パッド１７，１７…が夫々鉛直方向に形成されている。又、基板１５のコーナ部近傍はモジュール本体１３の切欠部１４，１４，１４，１４の下側まで延出されており、この延出された部分で該切欠部１４，１４，１４，１４の底面を形成した構造を成し、その切欠部１４，１４，１４，１４底面となる基板１５の上面部分を後述するバネフック１８，１８，１８，１８と係合する係合部１９，１９，１９，１９として使用するように構成されている。
【０００５】
前記コネクタ１２は、モジュール１１を組み込むための一端が開放された桝状をした中空部２０を有する樹脂製のコネクタ本体２１を有する。又、該コネクタ本体２１の底部２２は４側辺近傍が切り欠かれて開口２３，２３…が形成され、前記中空部２０の内側面には鉛直方向に平行に接触子片となる複数のコンタクトピン２４，２４…が配設されている。
【０００６】
又、前記中空部２０の相対抗している側面２０ａ，２０ｂの左右のコーナー部近傍には、モジュール１１側の基板１５の係合部１９，１９，１９，１９と対応して前記バネフック１８，１８，１８，１８が設けられている。而して、該バネフック１８，１８，１８，１８はコネクタ本体２１の外周面を覆って該コネクタ本体２１に取り付けられているシールドケース２５の上端面から中空部２０内に延設されており、該中空部２０内に延設されたバネフック１８，１８，１８，１８の自由先端１８ａ，１８ａ，１８ａ，１８ａ側はコネクタ本体２１の底部２２に近づくに従って徐々に中空部２０の中心に近づくようにして傾斜し、中心側に向かって突出されている。尚、該バネフック１８，１８，１８，１８の各自由先端１８ａ，１８ａ，１８ａ，１８ａは、中空部２０内にモジュール１１が所定の位置まで挿入されると、前記係合部１９，１９，１９，１９即ち、基板１５の上面に係合されてモジュール１１を抜け止めできるように構成されている。
【０００７】
又、コネクタ本体２１の一側面には、上面開口の係合凹部２６が設けられている。一方、該係合凹部２６と対応しているモジュール本体１３の側面には、前記係合凹部２６と位置決め状態で係合可能な位置決め突部２７が形成されている。そして、該位置決め突部２
７は、モジュール１１がコネクタ１２の中空部２０内に一端開口より落とし込まれて組み込まれるとき、その組み込み動作に連動して係合凹部２６内に係合され、モジュール１１がコネクタ本体２１に対して水平方向に移動するのを規制するように構成されている。
【０００８】
図５は、前記モジュール装置１０において、モジュール１１をコネクタ１２に組み込む手順の一例を模式的に示す図である。同図を用いてモジュール１１をコネクタ１２に組み込む手順を説明すれば、まず、同図（ｂ）に示すように、モジュール１１の前記位置決め突部２７とコネクタ１２の係合凹部２６とを対応させて、コネクタ１２の上側から中空部２０内にモジュール１１を落とし込むようにして組み込む。その組み込み途中では、基板１５の下面が前記コンタクトピン２４，２４…と、更に少々遅れてバネフック１８，１８，１８，１８に当接する。
【０００９】
しかしながら、そのままモジュール１１を押し込んで行くと、バネフック１８，１８，１８，１８及びコンタクトピン２４，２４…は共に弾性変形されて外側に逃がされてモジュール１１の押し込みを許容する。又、基板１５の下面が中空部２０内の底部２２に当接したときには、接触パッド１７，１７…とコンタクトピン２４，２４…とが当接された状態になる所定位置までモジュール１１が中空部２０内に組み込まれる。このとき、各バネフック１８，１８，１８，１８は自身の弾性力で各対応する係合部１９，１９，１９，１９上に自己復帰され、該バネフック１８，１８，１８，１８の各自由先端１８ａ，１８ａ，１８ａ，１８ａが係合部１９，１９，１９，１９上、即ち、基板１５の上面に直接に係合される。この係合によりモジュール１１の抜け止めが行われ、該モジュール１１がコネクタ１２にロックされ、組み込みが完了する。又、この組み込み完了状態では、モジュール１１の位置決め突部２７とコネクタ１２の係合凹部２６との係合も完了する。図５（ａ）はこの組み込みが完了したロック状態を示す。
【００１０】
又、組み込みが一度完了した状態において、コネクタ１２からモジュール１１を取り外す場合は、係合凹部２６の上方から例えばピンを挿入し、バネフック１８，１８，１８，１８を係合部１９，１９，１９，１９上の外側に逃がした状態でモジュール１１を上側に引き抜くと、簡単に取り外すことができる。
【００１１】
従って、このように構成されたモジュール装置は、基板１５上をバネフック１８，１８，１８，１８で直接に押さえ、この押さえにより該基板１５をコネクタ１２に対して位置決めするので、モジュール本体１３と基板１５との間に製造誤差等があっても、その製造誤差は無視され、コネクタ１２の所定の位置に基板１５が位置決めされる。この結果、モジュール１１のコネクタ１２に対する接触位置のバラツキを無くし、製品精度の安定化を図ることができる。又、モジュール本体１３と基板１５との間の寸法誤差も厳しく要求されることがないので、製造も簡単になる。
【００１２】
尚、この種モジュール用コネクタロック装置として前記従来例以外にも、例えば特許文献１記載のものも存在する。
【特許文献１】特開２００４−６３４２５号公報
【発明の開示】
【発明が解決しようとする課題】
【００１３】
上述した本願の先願に係るモジュール用コネクタロック装置は図５乃至図６に示すように、モジュールをコネクタ１２に組み込む際には、該モジュールをコネクタの上面から中空部内に落とし込むようにして該モジュールをコネクタに組み込むのであるが、このとき、該モジュールの基板の下面は先ず、コンタクトピンに当接し、少々遅れてバネフックに当接するように構成されている。このように、モジュールの基板下面がバネフックより先にコンタクトピンに接触するので静電気がコンタクトピンに流れ、之によりモジュールの
機能が減殺する等の不都合が生じる。
【００１４】
そこで、斯かるモジュール用コネクタロック装置を改良してモジュールの静電気を確実に除去し、且つ、ロック機能も充分に維持できるようにするために解決せられるべき技術的課題が生じてくるのであり、本発明は該課題を解決することを目的とする。
【課題を解決するための手段】
【００１５】
本発明は上記目的を達成するために提案されたものであり、基板上にモジュール本体を取り付けたモジュールと、該モジュールを組み込むための一端が開放された中空部及び該中空部の内面に前記基板側の接触子と電気接触を図る接触子を設けたコネクタとを備え、前記中空部内に組み込まれたモジュールを前記コネクタに固定するためのモジュール用コネクタロック装置であって、前記基板に係合部を設けると共に、前記コネクタに前記モジュールの組み込み時には外側に弾性変形して逃がされ、該モジュールが所定の位置に組み込まれると、前記係合部上に自己復帰して前記係合部と係合し前記モジュールの抜け止めを行うバネフックを設けて成るモジュール用コネクタロック装置において、前記バネフックはコネクタ本体の上端面から該コネクタ本体に設けた中空部に向って略水平方向へ突設され、更に、該突設部からコネクタ本体内壁面方向へ湾曲させ乍らその下部をコンタクトピンと並列して該コンタクトピンの中空部に対する突出量と略同程度に形成されたことを特徴とするモジュール用コネクタロック装置、及び、上記バネフックはシールドケースの一部を切起し加工によって該シールドケースと一体に形成されたモジュール用コネクタロック装置を提供するものである。
【００１６】
この構成によれば、シールドケースの一部を切起し加工にてコネクタの中空部内に突設されたバネフックは、コネクタ本体の上端面から前記中空部に向かって略水平方向へ突設させて突設部を形成し、更に、この突設部をコネクタ本体内壁面方向へ湾曲させ乍らその下部をコンタクトピンと並列して該コンタクトピンの中空部に対する突出量と略同程度に形成されているので、モジュールをコネクタに組み込むときには、該モジュールの基板の下面が前記バネフックの上端部の突出部に当接し乍ら該バネフックを外側に逃がしてモジュールの押し込みを許容し、そして、該モジュールの接触パッドとコンタクトピンとが当接する。このとき、前記バネフックは自身の弾性力で基板上面に形成されている係合部に直接係合して、該モジュールの抜け止めの作用を奏すると共に該バネフックはコンタクトピンよりも先に基板に当接するので、静電気はシールドケースにて吸収されコンタクトピンに流れることはない。
【発明の効果】
【００１７】
この発明はモジュールをコネクタに組み込んだときには、バネフックの下端部が基板の係合部に係合してモジュールの抜け止め効果を奏すると共に、該バネフックの上端部にコネクタの中空部に対して水平方向に突設した突設部がモジュールをコネクタに組み込む際、最初に該モジュールの基板下面が前記突設部に当接し、更に、該モジュールをコネクタに押し込む押圧力により該突設部がコネクタの内壁面方向へ逃がされる。
【００１８】
そこで、該モジュールはコネクタ内に落とし込まれる状態で、モジュールの接触パッドとコンタクトピンとが当接してモジュール機能が発揮される。而も、モジュールをコネクタに組み込む際、基板下面がコンタクトピンよりも先にバネフックの上端部に設けた突設部が当接するので、前記モジュールのコネクタに対して押し込まれる際に生じる静電気は該バネフックを介してシールドケースに吸収され、静電気がコンタクトピンに流れることが効果的に防止されるのである。斯くして、静電気によるモジュール等の機能が減殺されることはなくなる。
【発明を実施するための最良の形態】
【００１９】
本発明はモジュールをコネクタに組み込むとき、バネフックを外側へ逃がし、そして、コネクタの中空部の底面側の四方に設けられているコンタクトピン下端部の自由端がモジュールの基板に設けられている接触パッドに当接してモジュール機能を発揮し、更に、前記バネフックが自身の弾性復元力にて元の位置に復帰して基板上面に設けられている係合部に係合してモジュールの抜け止めを防止するように構成されたモジュール用コネクタロック装置であって、前記モジュールをコネクタに組み込むとき、該モジュールの基板下面がバネフックより先にコンタクトピンに当接するので、該モジュールの組み込む時に発生する静電気がコンタクトピンに流れモジュール機能が著しく阻害されることを防止すると云う目的を、モジュール用コネクタロック装置に設けたバネフックがシールドケースの一部を切起し加工によって形成され、更に、コネクタ本体の上端面からコネクタ本体の中空部に向かって略水平方向へ突設され、該突設部からコネクタ本体内壁面方向へ湾曲させ乍らその下部をコンタクトピンと並列して該コンタクトピンの中空部に対する突出量と略同程度に形成することにより、モジュールをコネクタに組み込むとき、モジュール基板がコンタクトピンより先にバネフックに当接して静電気を該バネフックを介してシールドケースに吸収させるように構成したことにより実現した。
【実施例】
【００２０】
以下、本発明の好適な一実施例を図１乃至図３に従って説明する。但し、本発明の前提条件である本願出願人の先願に係る前記先行技術と共通する構成部分については同一符号を付してその説明を省略するものとする。図１はモジュール装置１０のモジュール１１とコネクタ１２とを分解した状態を示す斜視図であり、図２（ａ）はコネクタ１２にモジュール１１を組み込んだときのバネフック１，１，１，１がモジュール１１の基板１５上面に設けられている係合部１９，１９，１９，１９上に係合している状態を示す縦断正面図であり、同図（ｂ）は特にモジュール１１をコネクタ１２に組み込む際のバネフック１，１，１，１の状態を示す解説図である。又、図３は本発明に係るバネフック１，１，１，１とコンタクトピン２４，２４…との位置関係を解説する図である。  図１において、本発明に係るモジュール装置１０は先行技術と同様にモジュール１１とコネクタ１２とから成り、そして、モジュール１１はモジュール本体１３と該モジュール本体１３の上部に配設されているレンズ部１３Ｌとから成り、その余の構成も先行例と全く同一である。
【００２１】
又、コネクタ１２は先行例のバネフック１８，１８，１８，１８以外の構成部分は先行例と全く同一でふる。そこで、本発明に係るバネフック１，１，１，１について詳述する。図１乃至図３に於いて、コネクタ本体２１の中空部２０の相対峙する側面２０ａ，２０ｂの左右のコーナ部近傍に、モジュール１１側の基板１５の係合部１９，１９，１９，１９と対応して本発明に係るバネフック１，１，１，１が設けられている。
【００２２】
而して、該バネフック１，１，１，１は図１に示すように、コネクタ本体２１を被覆しているシールドケース２５の前記コーナ部近傍を切起し加工によって前記中空部２０内の略水平方向へ突設され、そして、各突設部１ａ，１ａ，１ａ，１ａの直下部１ｂ，１ｂ，１ｂ，１ｂをコネクタ１２の内壁面方向へ湾曲させ乍ら、更にその下部１ｃ，１ｃ，１ｃ，１ｃを図３に示すようにコンタクトピン２４，２４…と並列するように構成されている。
【００２３】
斯くの如く本発明に係る前記コーナ部近傍に設けられているバネフック１，１，１，１を構成したので、モジュール装置１０においてモジュール１１をコネクタ１２に組み込む際には、該モジュール１１の基板１５下面がバネフック１，１，１，１の前記突設部１ａ，１ａ，１ａ，１ａに当接し、更に該モジュール１１を押し込めば該バネフック１，１，１，１は弾性変形されて、その突設部１ａ，１ａ，１ａ，１ａがコネクタ１２の内側面側へ逃がされて該モジュール１１の押し込み動作を許容する。
【００２４】
そこで、基板１５の下面が中空部２０内の底部２２に当接したとき、接触パッド１７，１７…とコンタクトピン２４，２４…とが当接された状態になる所定位置まで該モジュール１１が中空部２０内に組み込まれる。このとき、バネフック１，１，１，１は自身の弾性復元力によって基板１５上面の所定個所に設けられている係合部１９，１９，１９，１９上面に該バネフック１，１，１，１の夫々の下部１ｃ，１ｃ，１ｃ，１ｃの自由端が直接に係合して該モジュール１１の抜け止めを防止することができるように構成されている。
【００２５】
斯くの如く、モジュール１１をコネクタ１２に組み込む際には、前記コンタクトピン２４，２４…より先にバネフック１，１，１，１の前記突設部１ａ，１ａ，１ａ，１ａがモジュール１１の基板１５に当接するので、モジュール１１のコネクタ１２に対する組み込み時に発生する静電気は該突設部１ａ，１ａ，１ａ，１ａを介してシールドケース２５によって吸収されることになり、依って、該静電気はコンタクトピン２４，２４…に流れることが防止でき、モジュール装置１０の静電気による機能減殺を極めて効果的に阻止することができる。
【００２６】
尚、本発明は、本発明の精神を逸脱しない限り種々の改変を為すことができ、そして、本発明が該改変されたものに及ぶことは当然である。
【図面の簡単な説明】
【００２７】
【図１】本発明の一実施の形態を示し、モジュール装置の分解斜視図。
【図２】図１のモジュール装置の組み手順の一側を示す図であって、（ａ）はコネクタにモジュールを組み込んだ状態の正面断面図、（ｂ）はコネクタにモジュールを組み込む前の状態を示す正面断面図。
【図３】図１のモジュール装置におけるバネフックとコンタクトピンとの位置関係を示す解説図。
【図４】先行例のカメラモジュール装置の分解斜視図。
【図５】図４のカメラモジュール装置の組み込み手順を示す説明図であって、（ａ）はコネクタにモジュールを組み込んだ状態を示す正面断面図、（ｂ）はコネクタにモジュールを組み込む前の状態を示す正面断面図。
【図６】図４のカメラモジュール装置におけるバネフックとコンタクトピンとの位置関係を示す解説図。
【符号の説明】
【００２８】
１        バネフック
１ａ      突設部
１ｂ      直下
１ｃ      下部
１０        カメラモジュール装置
１１        モジュール
１２        コネクタ
１３        モジュール本体
１３Ｌ      レンズ部
１４        切欠部
１５        基板
１７        接触パッド
１９        係合部
２０        中空部
２１        コネクタ本体
２２        底部
２３        開口
２４        コンタクトピン
２５        シールドケース
２６        係合凹部
２７        位置決め突部
【図１】
2006236936.tif 000003
【図２】
2006236936.tif 000004
【図３】
2006236936.tif 000005
【図４】
2006236936.tif 000006
【図５】
2006236936.tif 000007
【図６】
2006236936.tif 000008